(57)【特許請求の範囲】
【請求項１】
被介護者が背もたれ付き椅子に座った状態で食事用のテーブルを使用する食事用移動テーブルであって、
ロックとロック解除が可能なキャスターが枠体の底部の４隅に設けられ、
前記枠体の前記キャスターを一括してロックとロック解除の可能な操作部が設けられ、通常は前記キャスターのロックによって食事用移動テーブルを固定し、移動時は前記操作部を操作して前記キャスターをロック解除し、所定の場所に移動できるようにし、
該操作部のレバーは、テーブル前方の下部に介護者用の収納部を有する棚部を設けて被介護者が操作できないように前記棚部の前端部の裏面に配置し、
前記テーブルの被介護者の手前側には被介護者の胴部が十分に収納できる半円の湾曲空間部が形成されその縁に湾曲クッション部が設けられ、該半円の湾曲空間部と前記椅子の背もたれとによって被介護者を無理のない姿勢で固定するようにしたことを特徴とする食事用移動テーブル。
【請求項２】
前記椅子は車椅子であって、前記枠体は車椅子が前進して被介護者が前記テーブル縁の近傍に配置できるようにしたことを特徴とする請求項１に記載の食事用移動テーブル。
【発明の詳細な説明】
【技術分野】
【０００１】
本発明は、主に、病院や介護施設等で被介護者が使用する食事用移動テーブルに関するものである。
【背景技術】
【０００２】
近時、病院や介護施設等の食事を、多数の被介護者が食堂で行う場合も多くなっている。この際、被介護者が車椅子等で食堂等に移動し食事用のテーブルに着席する。
このような食事用移動テーブルとして特許文献１に開示されているが、キャスターをロックしないとテーブルが移動したり、又、被介護者自身がテーブルを移動して車椅子から自力で立ち上がることにより、病人や高齢者等の被介護者の転倒等の事故が生じるという問題点があった。
また、キャスターをロックするにしても、各キャスターを介護者が床に近いキャスターを屈んで操作しなければならず、厄介な作業を強いるという問題点もあった。
ところで、病院等に設置する床頭台の４個のキャスターを一括してロック及びロック解除する操作機構は、本発明者によって、特許文献２等で提案されている。
【先行技術文献】
【特許文献】
【０００３】
【特許文献１】実用新案登録第３０７９５３７号公報
【特許文献２】特開２０１０−８８４９０号公報
【発明の概要】
【発明が解決しようとする課題】
【０００４】
本発明の課題は、上述した問題点に鑑みてなされたもので、被介護者が食事の時、及び、被介護者がテーブルに掴まって転倒したり、被介護者が介護者の介護しない状態で不用意に立ち上がらないようにして転倒事故を防ぎ、介護者が介護するまでは被介護者が椅子に座ったままでいるようにする食事用移動テーブルを提供しようとするものである。
また、食事用移動テーブルもテーブルのセットや、整理・片付けのための移動が、簡単で迅速にできる食事用移動テーブルを提供しようとするものである。
【課題を解決するための手段】
【０００５】
上記課題を解決するために、請求項１の発明は、被介護者が背もたれ付き椅子に座った状態で食事用のテーブルを使用する食事用移動テーブルであって、
ロックとロック解除が可能なキャスターが枠体の底部の４隅に設けられ、
前記枠体の前記キャスターを一括してロックとロック解除の可能な操作部が設けられ、通常は前記キャスターのロックによって食事用移動テーブルを固定し、移動時は前記操作部を操作して前記キャスターをロック解除し、所定の場所に移動できるようにし、
該操作部のレバーは、テーブル前方の下部に介護者用の収納部を有する棚部を設けて被介護者が操作できないように前記棚部の前端部の裏面に配置し、
前記テーブルの被介護者の手前側には被介護者の胴部が十分に収納できる半円の湾曲空間部が形成されその縁に湾曲クッション部が設けられ、該半円の湾曲空間部と前記椅子の背もたれとによって被介護者を無理のない姿勢で固定するようにしたことを特徴とする食事用移動テーブルである。
【０００６】
請求項２の発明は、請求項１に記載の食事用移動テーブルにおいて、前記枠体は車椅子が前進して被介護者が前記テーブル縁の近傍に配置できるようにしたことを特徴とする。
【発明の効果】
【０００７】
本発明の食事用移動テーブルによれば、椅子の背もたれとテーブルに設けた半円の湾曲空間部とによって被介護者を無理のない姿勢に、一括してロックとロック解除が可能なキャスター及び操作部を採用することにより、固定することができるので、被介護者が食事の時、及び、被介護者がテーブルに掴まって転倒したり、被介護者が介護者の介護しない状態で不用意に立ち上がらないようにして転倒事故を防ぎ、介護者が介護するまでは被介護者が椅子に座ったままでいるようにしたので、不測の事故を防ぐことができる。
また、一括してロックとロック解除が可能なキャスター及び操作部を採用したので、食事用移動テーブルのセットや、整理・片付けのための移動が、簡単で迅速にできる。
さらに、キャスターの操作部は、介護者が操作でき被介護者が操作できないテーブル前方に配置したので、被介護者が簡単に操作できず、誤作動して動き出す等の心配がない。したがって、被介護者が食事をしている間は、看護師や介護者は転倒等の心配をすることなく他の作業をすることができる。
【図面の簡単な説明】
【０００８】
【図１】本発明の実施例の食事用移動テーブルを被介護者が使用している状態の外観斜視図、
【図２】図１の被介護者が使用していない状態の外観斜視図、
【図３】図１の食事用移動テーブルの被介護者を正面に見た正面図、
【図４】図２の介護者から見た斜め上方からの斜視図、
【図５】図２の底面図である。
【発明を実施するための形態】
【０００９】
本発明の食事用移動テーブルは、食堂の近傍に配置して、被介護者が食事をする場合に使用するもので、被介護者が食事時、及び、被介護者が介護者の介護しない状態で不用意に立ち上がらないようにして転倒事故を防ぐもので、また、被介護者が食事をしている間は、看護師等の介護者は転倒等を心配することなく他の作業をすることができるが、本発明の食事用移動テーブルの実施例の詳細を図面に沿って説明する。
【実施例】
【００１０】
図１は、車椅子１に乗った被介護者Ａが食事用移動テーブル２を使用している状態を示す図であるが、図２は被介護者Ａが使用していない状態の食事用移動テーブル２だけの図であり、図３は被介護者Ａの正面からの食事用移動テーブル２の正面図、図４は斜め正面からの斜視図、図５は底面図である。
図１は被介護者Ａが、食事用移動テーブル２を使用し、車椅子１に座った状態の斜め後ろからの斜視図であるが、図５の底面図に示すように、枠体３の底面基礎部３１は全体がコの字形状で、前面に位置する基礎部分３１１の両端には１対のキャスター４が配置され、基礎部分３１１の両端から延びる側腕部３１２、３１３の先端部にも１対のキャスター４が配置され、合計４個のキャスターが安定するように枠体３の底面基礎部３１の４隅に配置されている。
【００１１】
このコの字形状ので底面基礎部３１の開口部３１４は十分幅広で、車椅子１の使用に際して、図１に示すように、車椅子１の一部、及び、被介護者Ａの足部Ａ１及び胴部Ａ２が開口部３１４から前進し、これを収納した状態にできる。
【００１２】
主に図２に示すように、テーブル部３２は、一対の側腕部３１２,３１３に立設した左右の側板部３３とに支持され、被介護者Ａ(図１参照)側には内側に湾曲した形状の湾曲部３４、及び、その形状に沿って湾曲クッション部７が設けられ、この湾曲クッション部７の左右の両側部７１が突出していて、これらによって被介護者Ａの胴部Ａ２が十分に収納できる半円の湾曲空間部７３が形成され、且つ、湾曲クッション部７及び湾曲底部７２によって被介護者Ａを支えるようにしている。
【００１３】
主に図３に示すように、テーブル部３２の前側の下部には細幅の棚部３５及び遮蔽板３６が左右の側板部３３に掛け渡され、介護者用の収納部となっている。この棚部３５の前端部の裏面３５１には、左右に操作部５とそのレバー５１とが設けられ、このレバー５１のどちらか一方を介護者が手で上に挙げると、前述した４個のキャスター４のロックが同時に解除され、食事用移動テーブル２が移動可能となる。なお、レバー５１のどちらか一方を操作するとしたが、同時に両レバー５１を操作してもよく、この場合は１つのレバー５１に加える握力が少なくて済む。
【００１４】
このように操作部５は、通常はレバー５１が下がりキャスター４がロックされ食事用移動テーブル２が固定状態に維持される。このキャスター４の操作機構は、前掲の特許文献１の公知の床頭台の４個のキャスターを、１カ所の操作部で同時に一括してキャスターをロック又はロック解除する機構を採用すればよく、レバー５１のどちらか一方、場合によっては両方一緒に操作すると操作が軽くなるので、レバー５１を手動で挙げると、一括して全部のキャスター４が同時にロックが解除され移動可能状態となり、手を離すと自然にバネ等によりレバー５１が下がりキャスター４がロックされ所定の箇所に固定される。
【００１５】
この操作部５の設ける箇所を、実施例では棚部３５の前端部の裏面３５１としたが、これは操作部を介護者が簡単に操作できるが、被介護者Ａが操作できない箇所にする必要があるからであり、同様の条件が満足すれば、側板部３３の適所でも良い。
棚部３５の下と底面基礎部３１の間は空間部３７となっており、透視機能を有していて、この空間部３７から被介護者Ａの足部Ａ１の爪先等が外部から確認でき、被介護者Ａの安全を確保することができる。
【００１６】
また、図示しないが、テーブル部３２或いは側板部３３の適宜の箇所には、ナースコールボタンやインターホンを配置しても良く、この場合には、被介護者Ａがナースコールボタンを押すことにより、有線或いは無線により介護者やナースセンター等に連絡されるようになっており、食事が終了したことを看護師や介護者に連絡できるようにしても良い。
【００１７】
[作動手順]
本実施例は、以上の構成であるが、次に本食事用移動テーブル２の使用の手順を説明する。
被介護者Ａが食事用移動テーブル２を使用する場合に、被介護者Ａは介護者を呼び出し、歩行器或いは車椅子１で食堂まで移動し、所定位置の椅子或いは車椅子１に座る。
被介護者Ａが所定位置に着席し座った状態を確認すると、介護者は椅子或いは車椅子１の固定レバー１１(図１参照)を操作して固定し、次に、食事用移動テーブル２の操作部５のレバー５１を手動で挙げて、キャスター４のロックを解除して移動可能にし、一方、底面基礎部３１の左右の側腕部３１２,３１３の内側に被介護者Ａの足部Ａ１を位置させ、食事用移動テーブル２を被介護者Ａに接近させるように前進させ、湾曲クッション部７の左右の側部７１と湾曲底部７２によって、被介護者Ａの胴部Ａ２或いは腰部の両脇を挟むように前進し、更に被介護者Ａの胴部Ａ２或いは腰部を湾曲クッション７の湾曲底部７２の直前まで前進させて停止する。
【００１８】
この状態で、介護者は食事用移動テーブル２の操作部５のレバー５１から手を離してキャスター４をロック状態に、食事用移動テーブル２を床に固定する。
ここで、介護者は付き添ったままでも、その場を離れてもよく、被介護者Ａは食事を開始する。
被介護者Ａが食事が終わり、介護者が食事用移動テーブル２の操作部５のレバー５１を握って挙げ、食事用移動テーブル２を椅子や車椅子１から離し、介護者により被介護者Ａを歩行器や車椅子１に移し、病室等に移動する。なお、食事が終わった時点で、図示しないナースコールボタンを押して介護者を呼んで、上述した移動する作動を行ってもよい。
【００１９】
以上説明したように、本発明の食事用移動テーブル２の実施例によれば、被介護者Ａを食事の車椅子１等に、湾曲クッション部７の左右の側部７１と、湾曲底部７２の３方、及び車椅子１の背もたれによって、被介護者Ａを無理のない姿勢で固定し、被介護者Ａが食事時、及び、被介護者Ａが介護者の介護しない状態で不用意に立ち上がらないようにして、転倒事故を防ぐことができる。
したがって、患者の症状により、食事中に看護師が他の場所へ付き添いでいかなくてはならない場合に、本発明の食事用移動テーブル２を使用し、食事が終わった段階で看護師や介護者が食堂に行き、食事用移動テーブル２を移動して被介護者Ａを病室等に移す。したがって、この被介護者Ａが食事用移動テーブル２を使用している間は、看護師や介護者は転倒等の事故を心配することなく、他の作業をすることができる。
【００２０】
また、一括してロックとロック解除が可能なキャスター４及び操作部５を採用したので、食事用移動テーブル２を直ちに被介護者Ａを固定するように操作でき、被介護者Ａが食事を終了した場合は、直ちに介護者によって、食事用移動テーブル２を車椅子１から離れた場所に移動を可能にすることができる。また、食事用移動テーブル２を固定した後は、操作部５は被介護者Ａが簡単に操作できない箇所のテーブル部３２の前面の下方に外部に配置したので、誤作動する心配がなく、逆に介護者は簡単に操作できる。
【００２１】
更に、食事をしている被介護者Ａの足部Ａ１を空間部３７から確認できるようにしたので、被介護者Ａの足部Ａ１の状態を外部から確認でき、被介護者Ａの安全を確保することができる。
従来は、被介護者Ａや患者は勝手に病室等に戻ろうとして、転倒する事故が度々起こっていたが、本食事用移動テーブル２を使用することによって、これらの事故を防ぐことができる。
なお、本発明の特徴を損なうものでなければ、上記の各実施例に限定されるものでないことは勿論である。
【符号の説明】
【００２２】
Ａ・・被介護者、Ａ１・・足部、Ａ２・・胴部、
１・・車椅子、１１・・固定レバー
２・・食事用移動テーブル
３・・枠体、３１・・底面基礎部、３１１・・基礎部分、
３１２,３１３・・側腕部、３１４・・開口部、
３２・・テーブル部、３３・・側板部、
３４・・湾曲部、３５・・棚部、３５１・・裏面、３６・・遮蔽板、
３７・・空間部
４・・キャスター、
５・・操作部、５１・・レバー
７・・ 湾曲クッション部、７１・・側部、７２・・湾曲底部、
７３・・湾曲空間部
【図１】
0005805577.tif 000002
【図２】
0005805577.tif 000003
【図３】
0005805577.tif 000004
【図４】
0005805577.tif 000005
【図５】
0005805577.tif 000006